(57)【要約】【課題】商用電源を介して、アドレス等の属性情報や連動等の設定を近隣の住戸との混乱を生ずることなく設定することのできる電力線搬送通信用設定装置を提供する。【解決手段】電力線搬送通信端末１１の通信設定を行う電力線搬送通信用設定装置であって、商用電源１０に接続する商用電源接続部２と、商用電源周波数を通して通信周波数域を減衰させるフィルタ部３と、フィルタ部３を介して電力線搬送通信端末１１に商用電源１０を供給する端末接続部４と、端末接続部４とフィルタ部３の間に設け、電力線搬送通信端末１１と通信を行うトランシーバ部５と、商用電源接続部２とフィルタ部３との間に設け、所定の雑音信号を発生する雑音発生部２０と、前記各部を制御する制御部６と、を備えてなる。【選択図】  図１
2004222111.tif 000002
【特許請求の範囲】
【請求項１】
電力線搬送通信端末の通信設定を行う電力線搬送通信用設定装置であって、
商用電源に接続する商用電源接続部と、
商用電源周波数を通して通信周波数域を減衰させるフィルタ部と、
該フィルタ部を介して電力線搬送通信端末に商用電源を供給する端末接続部と、
該端末接続部と前記フィルタ部の間に設け、前記電力線搬送通信端末と通信を行うトランシーバ部と、
前記商用電源接続部と前記フィルタ部との間に設け、所定の雑音信号を発生する雑音発生部と、
前記各部を制御する制御部と、
を備えてなることを特徴とする電力線搬送通信用設定装置。
【請求項２】
前記所定の雑音信号は、白色雑音信号であり、
前記制御部は、少なくとも前記トランシーバ部と前記電力線搬送通信端末との間で通信を行う間、前記雑音発生部から前記白色雑音信号の出力を行う請求項１に記載の電力線搬送通信用設定装置。
【請求項３】
前記商用電源接続部と前記フィルタ部との間に、商用電源周波数を通して通信周波数域を減衰させる第２のフィルタ部を設けた請求項１又は請求項２に記載の電力線搬送通信用設定装置。
【請求項４】
前記端末接続部と前記フィルタ部とを接続可能な第１接続系と、前記商用電源接続部と前記端末接続部とを直結可能な第２接続系とを形成するとともに、前記第１接続系と前記第２接続系との接続切替えを行う切替駆動部を設けた請求項１乃至請求項３のいずれかに記載の電力線搬送通信用設定装置。
【請求項５】
電力線搬送通信端末の通信設定を行う電力線搬送通信用設定装置であって、
商用電源に接続する商用電源接続部と、
商用電源周波数を通して通信周波数域を減衰させるフィルタ部と、
該フィルタ部を介して電力線搬送通信端末に商用電源を供給する端末接続部と、
該端末接続部と前記フィルタ部の間に設けた第１のトランシーバ部と、
前記商用電源接続部と前記フィルタ部の間に設けた第２のトランシーバ部と、
前記各部を制御する制御部と、
を備えてなり、
前記第２のトランシーバ部は、前記第１のトランシーバ部にて前記端末接続部に接続された電力線搬送通信端末の通信設定を行っている際に、予め定められたダミー信号を送信し、
前記制御部は、前記電力線搬送通信端末の通信設定の完了後には、前記第１のトランシーバ部から受信した前記端末接続部側に接続した通信設定対象の電力線搬送通信端末からの信号を前記第２のトランシーバ部を介して前記商用電源接続部側の通信設定非対象の電力線搬送通信端末に中継送信し、前記第２のトランシーバ部から受信した前記通信設定非対象の電力線搬送通信端末からの信号を前記第１のトランシーバ部を介して前記通信設定対象の電力線搬送通信端末に中継送信することを特徴とする電力線搬送通信用設定装置。
【発明の詳細な説明】
【０００１】
【発明の属する技術分野】
本発明は、例えば住宅等の建物内に分散設置された電力線搬送通信端末のアドレス等の属性情報や、電力線搬送通信端末間の連動動作等の設定情報の書き込みを行う電力線搬送通信用設定装置に関するものである。
【０００２】
【従来の技術】
従来から、住宅等の建物内に分散設置されて電力線に接続され、その電力線を介して制御される複数の照明装置、空調装置等の負荷装置又は負荷機器用の電力線搬送端末装置、あるいはその操作側となる電力線搬送端末操作装置等の電力線搬送通信端末がある。
【０００３】
このような電力線搬送通信端末は、自身の名称や設置場所等の属性データを設定したり、また自律分散型のシステムにおいては、電力線搬送通信端末間の連動動作等を設定する必要がある。
【０００４】
電力線搬送通信端末への属性データ等の設定は、例えば、電力線に接続された電力線搬送通信用設定装置を用いて、電力線を介した電力線搬送通信によって、例えば電力線搬送通信端末に設けられた記憶手段に書き込む設定作業を行う。
【０００５】
ここで、従来の電力線搬送通信用設定装置としては、電力線に接続されている電力線搬送通信端末を一覧取得し、その電力線搬送通信端末一覧データから所望の電力線搬送通信端末を選択して、属性情報や連動動作等を設定するものを挙げることができる。
【０００６】
なお、各電力線搬送通信端末は、冷蔵庫やテレビ、空調機器等の家電分野の負荷機器であるときには１台ずつ商用電源に接続して属性データ等の設定を行えばよいが、照明装置の操作側となる操作スイッチ端末や、負荷機器用のコンセントをもった差込接続型負荷用端末等の配線器具型の電力線搬送通信端末の場合、一般に同一機種で同じ型番のものが設置される、つまり、製品毎にその種類（例えば照明器具や壁スイッチ）や型番等の情報を有しているので、同一機種で同じ型番の電力線搬送通信端末が複数ある場合には、上述の電力線搬送通信用設定装置においては、各電力線搬送通信端末識別が困難となる。
【０００７】
すなわち、壁面に設置された複数の操作スイッチ端末と照明装置、あるいは差込接続型負荷用端末である、シーリングアダプタ端末とで構成される照明システムにおいて、各操作スイッチ端末にて、どの照明装置や差込接続型負荷用端末の操作をするかというパターン操作を想定すると、まず、電力線搬送通信用設定装置に設けた設定手段等を用い、商用電源を介して電力線搬送通信によって、接続されている端末一覧データを取得する。次いで、所望の操作スイッチ端末を指定してパターン操作の設定を行うこととなる。しかし、同一機種で同じ型番の操作スイッチ端末、差込接続型負荷用端末らが複数存在しているため、どの操作スイッチ端末がどこに設置されたものか、あるいはどの差込接続型負荷用端末を操作すべきかを物理的に特定することが困難となる。
【０００８】
なお、上述のように例えば同一機種で同じ型番の電力線搬送通信端末が複数ある場合に用いる電力線搬送通信用設定装置としては、商用電源周波数は通すが、信号周波数帯域は減衰させるブロックフィルタ機能を有したブロッキングフィルタを備えてなり、通信信号を電力線から遮断した状態で設定対象の電力線搬送通信端末を接続して設定を行うものを挙げることができる（特許文献１参照）。
【０００９】
このブロッキングフィルタを備えた電力線搬送通信用設定装置においては、ブロッキングフィルタでの信号減衰量が重要であり、電力線搬送通信端末の最低受信レベル以下まで信号を減衰させる必要がある。しかし、ダイナミックレンジは約８０〜約９０ｄＢ以上と大きい電力線搬送通信方式が開発されているので、ブロッキングフィルタの減衰量をそれ以上確保しなければならない。
【００１０】
なお、ブロッキングフィルタを備えた電力線搬送通信用設定装置は、従来からのＦＳＫ（Ｆｒｅｑｕｅｎｃｙ  Ｓｈｉｆｔ  Ｋｅｙｉｎｇ）やＰＳＫ  （Ｐｈａｓｅ  Ｓｈｉｆｔ  Ｋｅｙｉｎｇ）等の変調方式の場合は、狭帯域の信号周波数だけを減衰させればよいため、減衰量の大きなフィルタを比較的実現しやすいが、スペクトラム拡散やＯＦＤＭ（Ｏｒｔｈｏｇｏｎａｌ  Ｆｒｅｑｕｅｎｃｙ  ｄｉｖｉｓｉｏｎ  Ｍｕｌｔｉｐｌｅｘ）等の変調方式の場合は、信号周波数が広帯域であるため、全帯域にわたって約８０〜約９０ｄＢ以上の減衰量を確保することが困難であるので、ブロッキングフィルタを備えた電力線搬送通信用設定装置は、必ずしも好適ではない。
【００１１】
【特許文献１】
特開２００２−１６４８２２号公報
【００１２】
【発明が解決しようとする課題】
上述のようなブロッキングフィルタを備えた従来の電力線搬送通信用設定装置においては、広帯域の変調方式を用いる場合などには、ブロッキングフィルタの周波数特性によって、信号帯域内の一部は減衰量が不充分となり、外部に信号が漏れる可能性があった。また、フィルタの段数を増やしても、線間容量による結合や、電力線からの不要輻射による空間的な結合により、完全に信号を遮断することは困難な場合がある。
【００１３】
本発明は上記問題点を改善するためになされたものであり、商用電源を介して、アドレス等の属性情報や連動等の設定を近隣の住戸との混乱を生ずることなく設定することのできる電力線搬送通信用設定装置を提供することを目的とするものである。
【００１４】
【課題を解決するための手段】
請求項１に記載の電力線搬送通信用設定装置は、例えば図１、図２にその一例を示すように、電力線搬送通信端末１１の通信設定を行う電力線搬送通信用設定装置であって、商用電源１０に接続する商用電源接続部２と、商用電源周波数を通して通信周波数域を減衰させるフィルタ部３と、フィルタ部３を介して電力線搬送通信端末１１に商用電源１０を供給する端末接続部４と、端末接続部４とフィルタ部３の間に設け、電力線搬送通信端末１１と通信を行うトランシーバ部５と、商用電源接続部２とフィルタ部３との間に設け、所定の雑音信号を発生する雑音発生部２０と、前記各部を制御する制御部６とを備えてなることを特徴とするものである。
【００１５】
また、請求項２に記載の電力線搬送通信用設定装置は、請求項１に記載の発明において、所定の雑音信号は、白色雑音信号であり、制御部６は、少なくともトランシーバ部５と電力線搬送通信端末１１との間で通信を行う間、雑音発生部２０から白色雑音信号の出力を行うことを特徴とするものである。
【００１６】
また、請求項３に記載の電力線搬送通信用設定装置は、例えば図３にその一例を示すように、請求項１又は請求項２に記載の発明において、商用電源接続部２とフィルタ部３との間に、商用電源周波数を通して通信周波数域を減衰させる第２のフィルタ部２１を設けたことを特徴とするものである。
【００１７】
また、請求項４に記載の電力線搬送通信用設定装置は、例えば図４、図５にその一例を示すように、請求項１乃至請求項３のいずれかに記載の発明において、端末接続部４とフィルタ部３とを接続可能な第１接続系と、商用電源接続部２と端末接続部４とを直結可能な第２接続系とを形成するとともに、第１接続系と第２接続系との接続切替えを行う切替駆動部２２を設けたことを特徴とするものである。
【００１８】
また、請求項５に記載の電力線搬送通信用設定装置は、例えば図６にその一例を示すように、電力線搬送通信端末１１の通信設定を行う電力線搬送通信用設定装置であって、商用電源１０に接続する商用電源接続部２と、商用電源周波数を通して通信周波数域を減衰させるフィルタ部３と、フィルタ部３を介して電力線搬送通信端末１１に商用電源１０を供給する端末接続部４と、端末接続部４とフィルタ部３の間に設けた第１のトランシーバ部５と、商用電源接続部２とフィルタ部３の間に設けた第２のトランシーバ部２５と、前記各部を制御する制御部６とを備えてなり、第２のトランシーバ部２５は、第１のトランシーバ部５にて端末接続部４に接続された電力線搬送通信端末１１の通信設定を行っている際に、予め定められたダミー信号を送信し、制御部６は、電力線搬送通信端末１１の通信設定の完了後には、第１のトランシーバ部５から受信した端末接続部４側に接続した通信設定対象の電力線搬送通信端末１１からの信号を第２のトランシーバ部２５を介して商用電源接続部２側の通信設定非対象の電力線搬送通信端末に中継送信し、第２のトランシーバ部２５から受信した通信設定非対象の電力線搬送通信端末からの信号を第１のトランシーバ部５を介して通信設定対象の電力線搬送通信端末に中継送信することを特徴とするものである。
【００１９】
【発明の実施の形態】
本発明の第１実施形態を図１及び図２に基づいて説明する。図１は、本発明の第１実施形態に係る電力線搬送通信用設定装置１を示すブロック図であり、図２は、電力線搬送通信用設定装置１の使用状態を示す説明図である。
【００２０】
第１実施形態における電力線搬送通信用設定装置１は、図１、２に示すように、電力線となる商用電灯線９から商用電源１０に接続される商用電源接続部２と、例えば電源周波数は通し信号周波数を含む高周波帯域を減衰させる低域通過フィルタであり、信号帯域の減衰量が例えば５０ｄＢ以上であるフィルタ部３と、通信設定対象である電力線搬送通信端末１１を接続する端末接続部４と、電力線搬送通信端末１１と通信を行う電力線通信用のトランシーバ部５と、所定の雑音信号を発生する雑音発生部２０と、電力線搬送通信端末１１の検出指示を与えるとともに後述の設定表示部８に電力線搬送通信端末１１自体の属性情報や設定情報等を入力する設定入力部７と、設定入力部７に入力された情報を表示する設定表示部８と、前記各部を制御する制御部６とを備えて構成されている。
【００２１】
なお、フィルタ部３は、第１実施形態においては低域通過フィルタであるが、信号周波数帯域のみ減衰させる帯域阻止フィルタであってもよい。また、図２では、通信設定の対象である電力線搬送通信端末は、電力線搬送通信端末１１であり、電力線搬送通信端末１１ａ、１１ｂは通信設定の対象の対象ではない場合を想定したものであるが、通信設定の対象の対象ではない電力線搬送通信端末１１ａ、１１ｂの数は勿論２つに限ったものではない。
【００２２】
電力線搬送通信端末１１は、自身の名称や、シリアル番号等のＩＤや、メーカー名や、機器種別や、型番など属性情報を内蔵する不揮発性メモリ等の記憶手段（図示せず）に予め書き込み保持している。なお、電力線搬送通信端末１１は、予め記憶手段に記憶されているデータの他に、設置場所等の属性情報を設定したり、また自律分散型のシステムにおいては、他の電力線搬送通信端末（例えば１１ａや１１ｂ）との連動動作等の属性情報を設定する必要がある。
【００２３】
ここで、第１実施形態においては、雑音発生部２０が発生する所定の雑音信号は、白色雑音信号であり、制御部６は、雑音発生部２０から、トランシーバ部５より通信設定対象（以降、設定対象と称する。）である電力線搬送通信端末１１に後述する設定情報を送信して、電力線搬送通信端末１１の記憶手段にこの設定情報を書き込みが完了するまでの間だけ白色雑音信号の出力を行う機能を備えている。
【００２４】
以下に、電力線搬送通信端末１１への通信設定の方法を説明する。なお、第１実施形態においては、電力線搬送通信端末１１を検出する際に、電力線搬送通信用設定装置１が電力線搬送通信端末１１に検出要求を送信し、電力線搬送通信端末１１がその要求信号に応答する方式である。
【００２５】
まず、ユーザーは、電力線搬送通信用設定装置１の例えば設定入力部７から、電力線搬送通信端末１１の検出指示を与える、例えば端末検出要求メッセージを送信し、トランシーバ部５を介して電力線搬送通信端末１１と通信を行い、記憶手段に予め書き込んである前述のＩＤや、メーカー名等、連動動作といった属性情報を読出し、読み出した属性情報を設定表示部８に表示する。
【００２６】
ユーザーは、設定表示部８に表示された属性情報より、確かに設定対象の電力線搬送通信端末１１であることを確認した後、アドレスや暗号キーや、設置場所等の属性情報や、自律分散型のシステムの場合には他の電力線搬送通信端末との連動動作情報等といった属性情報を設定情報として入力設定し、トランシーバ部５より設定対象である電力線搬送通信端末１１にこの設定情報を送信して、例えば電力線搬送通信端末１１の記憶手段にこの設定情報を書き込む（つまり、通信設定を行う）。
【００２７】
ここで、雑音発生部２０は、トランシーバ部５より設定対象である電力線搬送通信端末１１に前述の設定情報を送信して、電力線搬送通信端末１１の記憶手段にこの設定情報を書き込みが完了するまでの間だけ信号周波数成分を含む白色雑音信号の出力を行う。
【００２８】
ここで、白色雑音信号は、端末接続部４側で送信された信号が、例えば５０ｄＢ減衰して商用電源接続部２側に流れるが、この漏れ信号が商用電源接続部２側で受信不可能となる程度レベルの白色雑音信号であればよい。
【００２９】
なお、電力線搬送通信端末１１のダイナミックレンジを例えば８０ｄＢとすれば、白色雑音信号を発生していない状態では、漏れ信号を商用電源接続部２側に接続された他の電力線搬送通信端末で受信可能となるため、例えば隣家に前述の設定情報が漏洩する恐れがあるが、雑音発生部２０から前述レベルの白色雑音を発生することにより、漏れ信号を受信復調することは不可能となる。
【００３０】
そして電力線搬送通信端末１１への通信設定が完了した後は、ユーザーは、電力線搬送通信用設定装置１から電力線搬送通信端末１１を取り外し、商用電力線に施工・接続し、連動動作等の通信が行えることを確認する。
【００３１】
かかる電力線搬送通信用設定装置においては、電力線搬送通信用設定装置１から端末検出要求メッセージを送信した時に、商用電源接続部２側にある設定対象ではない他の電力線搬送通信端末は、電力線搬送通信端末１１の検出指示である端末検出要求メッセージを受信できないため、設定対象ではない他の電力線搬送通信端末が応答するといった可能性はなくなるので、端末接続部４に接続された設定対象の電力線搬送通信端末１１以外の電力線搬送通信端末が誤って検出されることがなくなり、設定対象の電力線搬送通信端末１１の特定が容易となる。
【００３２】
つまり、ユーザーは、電力線搬送通信用設定装置１にて、商用電源１０を介して、アドレス等の属性情報や連動等の設定を近隣の住戸との混乱を生ずることなく設定対象である電力線搬送通信端末１１の通信設定を確実にすることができる。また、同一型番の複数の電力線搬送通信端末がある場合でも、連動等の設定は、混同することなく適切に行うことができる。
【００３３】
ここで、第１実施形態においては、雑音発生部２０からの白色雑音信号は、５０ｄＢ減衰した信号を打ち消すだけのレベルであればいいため、雑音端子電圧の規制値を満足するレベルに十分設定可能である。なお、雑音発生部２０による信号周波数成分を含む白色雑音信号の出力は、少なくともトランシーバ部５と電力線搬送通信端末１１との間で通信を行う間、つまり少なくとも設定通信パケットを送受信している間は行われていればよいが、常に雑音を外部に送信することは、商用電灯線９に接続された一般の家電機器にとって好ましいとはいえないため、雑音発生部２０は、設定通信パケットを送受信している間のみ前述の白色雑音信号の出力を行うことが好適である。
【００３４】
次に、電力線搬送通信端末側から自発的に自身の属性情報を電力線搬送通信用設定装置１に送信する実施形態を、本発明の第２実施形態として図３に基づいて説明する。図３は、本発明の第２実施形態に係る電力線搬送通信用設定装置１を示すブロック図である。なお、第１実施形態との同一箇所には同一符号を付して、共通部分の説明は省略する。また、電力線搬送通信用設定装置１の使用状態を示す説明図は、図２と同様であるので図示は省略する。
【００３５】
第２実施形態においては、電力線搬送通信端末を検出する際は、商用電源１０に接続された電力線搬送通信端末が自発的に自身のＩＤ等の属性情報を送信するような方式であり、図３に示すように、電力線搬送通信用設定装置１は、第１実施形態において、商用電源接続部２とフィルタ部３の間に、商用電源周波数を通して通信周波数域を減衰させる第２のフィルタ部２１を備えた構成である。ここで、第２のフィルタ部２１は、雑音発生部２０が白色雑音信号を発生させる前に、商用電源１０側からの信号を減衰させる機能を備えている。
【００３６】
また、電力線搬送通信端末１１は、自発的に記憶手段に予め書き込んである前述のＩＤや、メーカー名等、連動動作といった属性情報を送信する機能を備えており、このため、電力線搬送通信用設定装置１の設定入力部７は、第１実施形態において有していた電力線搬送通信端末１１の検出指示を与える機能を備えていなくてもよい。
【００３７】
以下に、電力線搬送通信端末１１への通信設定の方法を説明する。まず、電力線搬送通信端末１１が、トランシーバ部５を介して、自発的に自身のＩＤ等の前述の属性情報を電力線搬送通信用設定装置１の例えば設定入力部７へ属性情報を送信する。電力線搬送通信用設定装置１の設定入力部７は、受信した属性情報を読出し、読み出した属性情報を設定表示部８に表示する。
【００３８】
ユーザーは、設定表示部８に表示された属性情報より、確かに設定対象の電力線搬送通信端末１１であることを確認した後、アドレスや暗号キーや、設置場所等の属性情報や、自律分散型のシステムの場合には他の電力線搬送通信端末との連動動作情報等といった属性情報を設定情報として入力設定し、トランシーバ部５より設定対象である電力線搬送通信端末１１にこの設定情報を送信して、例えば電力線搬送通信端末１１の記憶手段にこの設定情報を書き込む（つまり、通信設定を行う）。
【００３９】
電力線搬送通信端末１１への通信設定で、この他の方法は、第１実施形態に記載の方法と同様であるので説明は省略する。
【００４０】
かかる電力線搬送通信用設定装置においては、第２のフィルタ部２１は、雑音発生部２０が白色雑音信号を発生させる前に商用電源接続部２側からの信号を減衰させることで、端末接続部４側の信号が外部に漏れないだけでなく、商用電源１０側からの信号を減衰させた後に、雑音発生部２０から白色雑音信号が印加されるため、設定対象ではない外部の電力線搬送通信端末から送信された信号を、電力線搬送通信用設定装置１のトランシーバ部５で受信することもなくなるので、ユーザーは、設定対象ではない電力線搬送通信端末を誤って検出しなくなる。
【００４１】
つまり、ユーザーは、複数の電力線搬送通信端末を混同することなく、設定対象である電力線搬送通信端末１１へのアドレス等の属性情報や、他の電力線搬送通信端末との間の連動動作等の設定情報の書き込みを行うことが可能となる。
【００４２】
また、雑音発生部２０から送信する白色雑音信号が減衰してから商用電源１０側に流れるため、雑音端子電圧を低減させ、設定対象ではない他の電力線搬送通信端末や一般の家電製品に与える影響をなくすことが可能となる。
【００４３】
次に、端末接続部４とフィルタ部３とを接続可能な第１接続系と、商用電源接続部２と端末接続部４とを直結可能な第２接続系とを形成した実施形態を、本発明の第３実施形態として図４に基づいて説明する。図４は、本発明の第３実施形態に係る電力線搬送通信用設定装置１を示すブロック図である。なお、第１実施形態及び第２実施形態との同一箇所には同一符号を付して、共通部分の説明は省略する。
【００４４】
第３実施形態においては、電力線搬送通信用設定装置１は、図４に示すように、第２実施形態の図３に示したブロック図において、端末接続部４とフィルタ部３を電気的に接続可能な第１接続系（端子２３）と、商用電源接続部２と端末接続部４とを電気的に直結可能な第２接続系（端子２４）とを形成するとともに、第１接続系（端子２３）と第２接続系（端子２４）との接続切替えを行う切替駆動部２２を設けた構成である。
【００４５】
ここで、切替駆動部２２は、前述した第１接続系（端子２３）及び第２接続系（端子２４）の２系統の切替スイッチを切替えるためのもので、制御部６から出力される切替信号に応じて駆動信号を出力する。
【００４６】
この構成において、電力線搬送通信端末１１への通信設定の間は、切替駆動部２２は、切替スイッチを第１接続系（端子２３）に接続し、電力線搬送通信端末１１への通信設定が完了した後に、切替スイッチを第２接続系（端子２４）に切替える。
【００４７】
かかる電力線搬送通信用設定装置においては、電力線搬送通信端末１１への通信設定が完了した後に、切替駆動部２２が、切替スイッチを第１接続系（端子２３）から第２接続系（端子２４）に切替えることで、商用電灯線９に接続されている他の電力線搬送通信端末と端末接続部４に接続された電力線搬送通信端末１１とが通信できるようになるので、設定対象の電力線搬送通信端末１１を電力線搬送通信用設定装置１に接続したままで、連動動作や、他の機器の制御等の通信を行い、通信設定した内容が正しく動作するかどうかを確認でき、万一、誤った通信設定をしたとしても、訂正が容易となる。また、ユーザーは、実際の電力線搬送通信端末１１の動作を確認しながら、段階的に設定作業を行うことも可能となる。
【００４８】
なお、図５は、本発明の第３実施形態に係るその他の電力線搬送通信用設定装置１を示すブロック図であり、第１実施形態の図１に示したブロック図において、電力線搬送通信用設定装置１は、端末接続部４とフィルタ部３とを電気的に接続可能な第１接続系と、商用電源接続部２と端末接続部４とを電気的に直結可能な第２接続系とを形成するとともに、第１接続系と第２接続系との接続切替えを行う切替駆動部２２を設けるような構成であってもよい。
【００４９】
次に、その他の実施形態を、本発明の第４実施形態として図６に基づいて説明する。図６は、本発明の第４実施形態に係る電力線搬送通信用設定装置１を示すブロック図である。なお、第１実施形態との同一箇所には同一符号を付して、共通部分の説明は省略する。
【００５０】
第４実施形態における電力線搬送通信用設定装置１は、図６に示すように、第１実施形態の図１において、雑音発生部２０に代えて、商用電源接続部２とフィルタ部３の間に、予め定められたダミー信号、例えばランダムデータ列の信号を送信する第２のトランシーバ部２５を備えて構成されている。
【００５１】
ここで、制御部６は、設定対象である電力線搬送通信端末１１の通信設定の完了後には、第１のトランシーバである第１のトランシーバ部５から受信した端末接続部４側に接続した設定対象の電力線搬送通信端末１１からの信号を第２のトランシーバ部２５を介して商用電源接続部２側に接続された設定対象ではない電力線搬送通信端末（例えば図２においては１１ａや１１ｂ）に中継送信させ、第２のトランシーバ部２５から受信した設定対象外の電力線搬送通信端末からの信号を第１のトランシーバ部５を介して設定対象である電力線搬送通信端末１１に中継送信させる機能を備えている。
【００５２】
また、第２のトランシーバ部２５は、第１のトランシーバ部５にて端末接続部４に接続された電力線搬送通信端末１１の通信設定を行っている際に、予め定められたダミー信号を送信する機能を備えている。
【００５３】
以下に、電力線搬送通信端末１１への通信設定で、第１実施形態と異なる箇所のみを説明する。この構成において、設定対象である電力線搬送通信端末１１への通信設定の間は、第２のトランシーバ部２５が、例えばランダムデータ列の信号を送信する。ここで、端末接続部４側から商用電源接続部２側に漏れる設定通信の信号は、フィルタ部３により減衰しているため、第２のトランシーバ部２５からのランダム信号に埋もれ、外部で受信できないようになる。逆に、ランダムデータ信号は、フィルタ部３によって減衰してから、端末接続部４側に漏れるため、電力線搬送通信端末１１への通信を妨げることはない。
【００５４】
そして、設定対象である電力線搬送通信端末１１への通信設定が完了した後は、制御部６は第１のトランシーバ部５から受信した端末接続部４側に接続した電力線搬送通信端末１１からの信号を、第２のトランシーバ部２５を介して商用電源接続部２側に接続した設定対象でない電力線搬送通信端末に中継送信し、第２のトランシーバ部２５から受信した設定対象でない電力線搬送通信端末からの信号を第１のトランシーバ部５を介して中継送信することにより、端末接続部４側に接続された設定対象である電力線搬送通信端末１１が、外部の設定対象ではない電力線搬送通信端末と通信可能となる。
【００５５】
かかる電力線搬送通信用設定装置においては、第２のトランシーバ部２５が、第１のトランシーバ部５にて端末接続部４に接続された電力線搬送通信端末１１の通信設定を行っている際に、予め定められたダミー信号を送信し、制御部６は、電力線搬送通信端末１１の通信設定の完了後には、第１のトランシーバ部５から受信した端末接続部４側に接続した設定対象の電力線搬送通信端末１１からの信号を第２のトランシーバ部２５を介して商用電源接続部２側の設定対象でない電力線搬送通信端末に中継送信し、第２のトランシーバ部２５から受信した設定対象でない電力線搬送通信端末からの信号を第１のトランシーバ部５を介して設定対象の電力線搬送通信端末１１に中継送信することで、端末接続部４側に接続した設定対象の電力線搬送通信端末１１が、外部の設定対象でない電力線搬送通信端末と通信可能となるので、ユーザーは、通信可能の内容の動作確認を容易に行うことが可能となる。
【００５６】
なお、第４実施形態において、第２のトランシーバ部２５が発生する予め定められたダミー信号は、端末接続部４側から商用電源接続部２側に漏れる通信設定のための信号がフィルタ部３により減衰してこのダミー信号に埋もれ、外部で受信できないものであればランダムデータ列以外の他の信号であっもよい。
【００５７】
【発明の効果】
上記のように本願の請求項１に係る発明の電力線搬送通信用設定装置にあっては、電力線搬送通信端末の通信設定を行う電力線搬送通信用設定装置であって、商用電源に接続する商用電源接続部と、商用電源周波数を通して通信周波数域を減衰させるフィルタ部と、フィルタ部を介して電力線搬送通信端末に商用電源を供給する端末接続部と、端末接続部とフィルタ部の間に設け、電力線搬送通信端末と通信を行うトランシーバ部と、商用電源接続部とフィルタ部との間に設け、所定の雑音信号を発生する雑音発生部と、前記各部を制御する制御部とを備えてなるので、電力線搬送通信用設定装置から端末検出要求メッセージを送信した時に、商用電源接続部側にある設定対象ではない他の電力線搬送通信端末は、電力線搬送通信端末の検出指示である端末検出要求メッセージを受信できないため、設定対象ではない他の電力線搬送通信端末が応答するといった可能性はなくなるので、端末接続部に接続された設定対象の電力線搬送通信端末以外の電力線搬送通信端末が誤って検出されることがなくなり、設定対象の電力線搬送通信端末の特定が容易となるという効果を奏する。
【００５８】
つまり、ユーザーは、商用電源を介して、アドレス等の属性情報や連動等の設定を近隣の住戸との混乱を生ずることなく設定対象である電力線搬送通信端末の通信設定を確実にすることができるという効果を奏する。また、同一型番の複数の電力線搬送通信端末がある場合でも、連動等の設定は、混同することなく適切に行うことができるという効果を奏する。
【００５９】
また、請求項２に係る発明の電力線搬送通信用設定装置にあっては、請求項１に記載の発明における効果に加えて、所定の雑音信号は、白色雑音信号であり、制御部は、少なくともトランシーバ部と電力線搬送通信端末との間で通信を行う間、雑音発生部から白色雑音信号の出力を行うので、ユーザーは、商用電源を介して、アドレス等の属性情報や連動等の設定を近隣の住戸との混乱を更に生ずることなく設定対象である電力線搬送通信端末の通信設定を確実にすることができるという効果を奏する。
【００６０】
また、請求項３に係る発明の電力線搬送通信用設定装置にあっては、請求項１又は請求項２に記載の発明における効果に加えて、商用電源接続部とフィルタ部の間に、商用電源周波数を通して通信周波数域を減衰させる第２のフィルタ部を設けたので、第２のフィルタ部は、雑音発生部が所定の雑音信号を発生させる前に商用電源接続部側からの信号を減衰させることで、端末接続部側の信号が外部に漏れないだけでなく、商用電源側からの信号を減衰させた後に、雑音発生部から所定の雑音信号が印加されるため、設定対象ではない外部の電力線搬送通信端末から送信された信号を、電力線搬送通信用設定装置のトランシーバ部で受信することもなくなるため、ユーザーは、設定対象ではない電力線搬送通信端末を誤って検出しなくなるという効果を奏する。
【００６１】
また、請求項４に係る発明の電力線搬送通信用設定装置にあっては、請求項１乃至請求項３のいずれかに記載の発明における効果に加えて、端末接続部とフィルタ部を接続可能な第１接続系と、商用電源接続部と端末接続部とを直結可能な第２接続系とを形成するとともに、第１接続系と第２接続系の接続切替えを行う切替駆動部を設け、電力線搬送通信端末への通信設定が完了した後に、切替駆動部が、切替スイッチを第１接続系から第２接続系に切替えることで、商用電灯線に接続されている他の電力線搬送通信端末と端末接続部に接続された電力線搬送通信端末とが通信できるようになるので、設定対象の電力線搬送通信端末を電力線搬送通信用設定装置に接続したままで、連動動作や、他の機器の制御等の通信を行い、通信設定した内容が正しく動作するかどうかを確認でき、万一、誤った通信設定をしたとしても、訂正が容易となるという効果を奏する。また、ユーザーは、実際の電力線搬送通信端末の動作を確認しながら、段階的に設定作業を行うことも可能となるという効果を奏する。
【００６２】
また、請求項５に係る発明の電力線搬送通信用設定装置にあっては、第２のトランシーバ部は、第１のトランシーバ部にて端末接続部に接続された電力線搬送通信端末の通信設定を行っている際に、予め定められたダミー信号を送信し、制御部は、電力線搬送通信端末の通信設定の完了後には、第１のトランシーバ部から受信した端末接続部側に接続した通信設定対象の電力線搬送通信端末からの信号を第２のトランシーバ部を介して商用電源接続部側の通信設定非対象の電力線搬送通信端末に中継送信し、第２のトランシーバ部から受信した通信設定非対象の電力線搬送通信端末からの信号を第１のトランシーバ部を介して通信設定対象の電力線搬送通信端末に中継送信することで、端末接続部側に接続した設定対象の電力線搬送通信端末が、外部の設定対象でない電力線搬送通信端末と通信可能となるので、ユーザーは、通信可能の内容の動作確認を容易に行うことが可能となるという効果を奏する。
【００６３】
また、ユーザーは、商用電源を介して、アドレス等の属性情報や連動等の設定を近隣の住戸との混乱を生ずることなく設定対象である電力線搬送通信端末の通信設定を確実にすることができるという効果を奏する。また、同一型番の複数の電力線搬送通信端末がある場合でも、連動等の設定は、混同することなく適切に行うことができるという効果を奏する。
【図面の簡単な説明】
【図１】本発明の第１実施形態に係る電力線搬送通信用設定装置を示すブロック図である。
【図２】本発明の第１実施形態に係る電力線搬送通信用設定装置の使用状態を示す説明図である。
【図３】本発明の第２実施形態に係る電力線搬送通信用設定装置を示すブロック図である。
【図４】本発明の第３実施形態に係る電力線搬送通信用設定装置を示すブロック図である。
【図５】本発明の第３実施形態に係る他の電力線搬送通信用設定装置を示すブロック図である。
【図６】本発明の第４実施形態に係る電力線搬送通信用設定装置を示すブロック図である。
【符号の説明】
１  電力線搬送通信用設定装置
２  商用電源接続部
３  フィルタ部
４  端末接続部
５  トランシーバ部
６  制御部
７  設定入力部
８  設定表示部
９  商用電灯線
１０  商用電源
１１  電力線搬送通信端末
１１ａ、１１ｂ  電力線搬送通信端末
２０  雑音発生部
２１  第２のフィルタ部
２２  切替駆動部
２３、２４  端子
２５  第２のトランシーバ部
【図１】
2004222111.tif 000003
【図２】
2004222111.tif 000004
【図３】
2004222111.tif 000005
【図４】
2004222111.tif 000006
【図５】
2004222111.tif 000007
【図６】
2004222111.tif 000008